(57)【要約】      （修正有）【課題】キャビテーションを抑制しつつ、長時間にわたって連続的に蒸気を噴射することができる、蒸気噴射システムを提供する。【解決手段】互いに非可溶性である２種類以上の液体を分離して収容する液体収容部２Ａ、２Ｂと、２種類以上の液体が液体収容部の内部で気化することで発生した蒸気を噴射する噴射口８と、噴射口からの蒸気の噴射を制御する噴射制御部７Ａ、７Ｂ、７Ｃとを備えた蒸気噴射システムによって、液体収容部内で蒸気を収容する空間内の圧力が２種類以上の液体のいずれにおける飽和蒸気圧よりも高い状態から蒸気の噴射を開始する。あるいは、１種類の液体と、液体とは組成が異なる少なくとも１種類の不活性ガスを収容する流体収容部と、同様の噴射口及び噴射制御部を備えた蒸気噴射システムによって、流体収容部内で蒸気を収容する空間内の圧力が液体の飽和蒸気圧よりも高い状態から蒸気の噴射を開始してもよい。【選択図】図１
2015214956.tif 000002
【特許請求の範囲】
【請求項１】
互いに非可溶性である２種類以上の液体を分離して収容する、液体収容部と、
前記２種類以上の液体が前記液体収容部の内部で気化することで発生した蒸気を噴射する、噴射口と、
前記噴射口からの前記蒸気の噴射を制御する、噴射制御部と
を備え、
前記液体収容部内で前記蒸気を収容する空間内の圧力が、前記２種類以上の液体のいずれにおける飽和蒸気圧よりも高い状態から、前記蒸気の噴射を開始するよう構成された
蒸気噴射システム。
【請求項２】
前記互いに非可溶性である２種類以上の液体は、液化アンモニア又はアンモニア水と液化ブタンとである、請求項１に記載の蒸気噴射システム。
【請求項３】
前記液体収容部を加熱するヒータを更に備えた、請求項１又は２に記載の蒸気噴射システム。
【請求項４】
前記液体収容部が、前記２種類以上の液体の各々を保持する２以上の液体保持部材を更に備えた、請求項１乃至３のいずれか一項に記載の蒸気噴射システム。
【請求項５】
１種類の液体と、該液体とは組成が異なる少なくとも１種類の不活性ガスを収容する、流体収容部と、
前記液体が前記流体収容部の内部で気化することで発生した蒸気及び前記少なくとも１種類の不活性ガスを噴射する、噴射口と、
前記噴射口からの前記蒸気及び前記少なくとも１種類の不活性ガスの噴射を制御する、噴射制御部と
を備え、
前記流体収容部内で前記蒸気を収容する空間内の圧力が、前記液体の飽和蒸気圧よりも高い状態から、前記蒸気及び前記少なくとも１種類の不活性ガスの噴射を開始するよう構成された
蒸気噴射システム。
【請求項６】
請求項１乃至５のいずれか一項に記載の蒸気噴射システムを用いて、前記噴射口から前記蒸気を噴射することにより推力を得るよう構成された、推進器。
【発明の詳細な説明】
【技術分野】
【０００１】
本発明は、蒸気噴射システムに関する。特に、本発明は、小型宇宙機用推進システム等に利用可能な蒸気噴射システム、及び当該システムを用いた推進器に関する。
【背景技術】
【０００２】
近年、液化ガスを燃料とし、燃料をコールドガスジェットとして噴射する気液平衡スラスタが開発されている（非特許文献１）。気液平衡スラスタはＧＮ２（気体窒素）やＧＨｅ（気体ヘリウム）を高圧で貯蔵する従来のコールドガスジェットと比較して、燃料をタンクへ高密度に充填できるため、タンクの小型化が図れ、タンク内圧が液化ガスの蒸気圧で維持されるため、調圧弁なしに一定推力を出力可能となり、配管系統が簡素化できるという利点を有している。
【０００３】
一方、気液平衡スラスタには、無重力空間においても気相と液相を分離させ、気相のみを確実に噴射する機能が求められる。ノズルからガスのみ噴射する技術に関して以下の技術がある。
【０００４】
発泡金属が施工された蒸気噴射システム
液体状態の燃料を発泡金属に浸透させ、発泡金属の気孔間に張られる気液界面の表面張力によって、液体を発泡金属内に保持することで、気液分離を実現している（特許文献１）。しかし、単一液化ガスを燃料とする蒸気噴射システムにおいては、気液分離能力は気液界面の表面張力に依存し、その大きさから噴射はパルス状の噴射に限られる。したがって、タンク内のガス圧が大きく低下する長時間にわたるガス噴射は、発泡金属の気液分離性能から困難であり、能力を越えた時間にわたる噴射を行うと、液体内部からキャビテーションが発生し、液体状態の燃料が突沸しタンクから流出するおそれがある。
【０００５】
ノズル近傍でのヒータ加熱による気化方法（レジストジェット）
液体状態の燃料をノズル直前で強制的に加熱することで気化させる方法である（非特許文献２）。気化を促すために膨大な電力を投入する必要があるという欠点があり、小型化や簡素化が図れるという本来の利点に反する。
【先行技術文献】
【特許文献】
【０００６】
【特許文献１】特開２００９−２１４６９５号公報
【特許文献２】特開２０１１−１８３８４０号公報
【特許文献３】特開２０１１−１８３８４１号公報
【非特許文献】
【０００７】
【非特許文献１】Carl R. Seubert1, Henry J. Pernicka2, Chris L. Norgren, "Refrigerant-Based Propulsion System for Small Spacecraft", AIAA 2007-5131
【非特許文献２】Redha Amri, D. Gibbon, "In orbit performance of butane propulsion system", Advances in Space Research 49 (2012) pp.648-654
【発明の概要】
【発明が解決しようとする課題】
【０００８】
以上のように、単一液化ガスを燃料とする従来の小型、簡素な蒸気噴射システムにおいては、長時間にわたる噴射は困難であった。
【０００９】
代替フロンガスやイソブタン等の液化ガスを燃料とする単一燃料の蒸気噴射システムでは、タンク圧が液化ガスの飽和蒸気圧と等しい状態から噴射を開始するため、噴射開始直後にタンク内の圧力が液化ガスの飽和蒸気圧を下回り、液体燃料内部からキャビテーションが発生する。キャビテーション発生後にガス噴射を継続すると、キャビテーションによって生じた気泡が膨張し、燃料の突沸を招き、液体状態の燃料がタンクから流出するおそれがある。タンクから流出した液体燃料が気化されないまま噴射されると、噴射効率が低下すると共に、推力が不安定となる。
【００１０】
これに鑑み、本発明は蒸気噴射システムにおいて、連続的にガスを噴射することを想定した場合に、キャビテーションを抑制するための蒸気噴射システムを提案することを課題とする。
【課題を解決するための手段】
【００１１】
以下、上記課題を解決するための本発明による手段を概説し、次に本発明が提供する具体的解決手段を説明する。ただし、解決手段として以下に概説、説明される全ての構成を本発明が備えることは必須ではなく、本発明の技術的範囲は特許請求の範囲の記載により規定されることに留意する。
【００１２】
本発明の概念
本発明者らは、互いに非可溶性である２種の液化ガスを混合した場合に、平衡状態においてタンク内の蒸気圧が各液化ガスの飽和蒸気圧の和になることに着目し、２種の液化ガスを用いることで、ガス噴射開始時のタンク圧が各液化ガスの飽和蒸気圧よりも高められ、その結果、噴射時のキャビテーションを抑制することにより、上記の課題を解決できると考え、本発明に至った。すなわち、本発明は、蒸気噴射システムにおいて連続的なガス噴射を可能とする燃料の選定に関する発明である。
【００１３】
以下（後述の各実施例は含まない。）、２種の液化ガスの内、飽和蒸気圧が高い液化ガスを液化ガスＡとし、その飽和蒸気圧をＰＡ、低い方を液化ガスＢとし、その飽和蒸気圧をＰＢとする。本発明が教示する蒸気噴射システムにおいては、互いに非可溶性である、２種の液化ガスのガス相を混合させることで、平衡状態においてタンク内のガス圧は各液化ガスの飽和蒸気圧和（ＰＡ＋ＰＢ）となる。
【００１４】
２種の各液化ガスの気液界面には２種の飽和蒸気圧の和（ＰＡ＋ＰＢ）の圧力が加わるため、各液体燃料中においては、タンク内のガス圧が液化ガスＡの飽和蒸気圧ＰＡを下回った後にキャビテーションが生じる。そのため、ガス噴射においては噴射前のタンク圧ＰＡ＋ＰＢからＰＡまで、つまり液化ガスＢの飽和蒸気圧ＰＢ分の減圧が起こるまで、キャビテーションは生じない。キャビテーションが生じない間は連続的なガス噴射が可能となるため、飽和蒸気圧の高い（液化ガスＡの飽和蒸気圧ＰＡに近い）液化ガスＢを選択することによって、連続的に噴射できるガス量を増加させることができる。なお、本発明における液化ガス燃料の組み合わせの具体例としては、液化アンモニアと液化ブタン、アンモニア水と液化ブタン等が挙げられる。
【００１５】
さらに、従来のイソブタンや代替フロン等を燃料とする従来の単一液化ガスに窒素、ヘリウム等の不活性ガスを充填することでも、タンク内のガス圧が単一液化ガスの飽和蒸気圧以上に高められて、噴射中のキャビテーションを抑制することが可能となる。
【００１６】
具体的解決手段
具体的に、本発明は、互いに非可溶性である２種類以上の液体を分離して収容する、液体収容部と、２種類以上の液体が液体収容部の内部で気化することで発生した蒸気を噴射する、噴射口と、噴射口からの蒸気の噴射を制御する、噴射制御部とを備え、液体収容部内で蒸気を収容する空間内の圧力が、２種類以上の液体のいずれにおける飽和蒸気圧よりも高い状態から、蒸気の噴射を開始するよう構成された蒸気噴射システムを提供する。
【００１７】
上記構成により、従来よりも高いガス圧で蒸気噴射を開始することができるため、長時間の噴射が可能となる。互いに非可溶性である２種類以上の液体の一例としては、既に述べたとおり液化アンモニア又はアンモニア水と液化ブタンとを用いることができる。
【００１８】
上記本発明の蒸気噴射システムに、液体収容部を加熱するヒータを更に備えることができる。当該ヒータによって、噴射のインターバル中に液体を加熱して液体の温度を回復させたり、後述の図３に示すシステム構成において、蒸気を収容する空間と液体を収容する空間に温度差を設けたりすることができる。
【００１９】
上記本発明の蒸気噴射システムにおいて、液体収容部に、２種類以上の液体の各々を保持する２以上の液体保持部材を更に備えることができる。特許文献１〜３に記載されているとおり、液体収容部内に発泡金属や平板（液滴捕獲部材）等を設ければ、液体の自由運動を制限してスロッシング現象を防ぎ、噴射口から液体が噴射されることを防止できる。上記本発明の蒸気噴射システムにおいては２以上の液体を分離して収容するので、液体保持部材も各々の液体に対して設けられる。
【００２０】
また本発明は、１種類の液体と、液体とは組成が異なる少なくとも１種類の不活性ガスを収容する、流体収容部と、液体が流体収容部の内部で気化することで発生した蒸気及び少なくとも１種類の不活性ガスを噴射する、噴射口と、噴射口からの蒸気及び少なくとも１種類の不活性ガスの噴射を制御する、噴射制御部とを備え、流体収容部内で蒸気を収容する空間内の圧力が、液体の飽和蒸気圧よりも高い状態から、蒸気及び少なくとも１種類の不活性ガスの噴射を開始するよう構成された蒸気噴射システムを提供する。単一の液体を用いる場合であっても、流体収容部内に異種の不活性ガスを加えることで収容部内の圧力を高めれば、キャビテーションを抑制して長時間噴射することが可能となる。
【００２１】
さらに本発明は、上記本発明の蒸気噴射システムのいずれかを用いて、噴射口から蒸気を噴射することにより推力を得るよう構成された、推進器を提供する。本発明の蒸気噴射システムを推進器に用いれば、長時間にわたって安定した推力を発生させることが可能となる。
【発明の効果】
【００２２】
本発明によれば、互いに非可溶性である２種類以上の液体を容器に収容するか、あるいは１種類の液体と、液体とは組成が異なる少なくとも１種類の不活性ガスを容器に収容することで、容器内の圧力をいずれの液体の飽和蒸気圧よりも高めることができるため、キャビテーションの発生を抑制でき、抑制されている間は気体のみを連続的に噴射し続けることが可能となる。
【図面の簡単な説明】
【００２３】
【図１】本発明の第１実施形態に係る蒸気噴射システム（推進器）のシステム・ダイアグラム図。
【図２】本発明の第２実施形態に係る蒸気噴射システム（推進器）のシステム・ダイアグラム図。
【図３】本発明の第３実施形態に係る蒸気噴射システム（推進器）のシステム・ダイアグラム図。
【図４】本発明の第４実施形態に係る蒸気噴射システム（スプレー）のシステム・ダイアグラム図。
【図５】本発明の第５実施形態に係る蒸気噴射システム（実験用）のシステム・ダイアグラム図。
【図６】比較例の蒸気噴射システムを用いて蒸気噴射実験を行った時の、容器内圧力の変化を表わすグラフ。
【図７】図５の蒸気噴射システムを用いて蒸気噴射実験を行った時の、容器内圧力の変化を表わすグラフ。
【図８】本発明の第６実施形態に係る蒸気噴射システム（実験用）のシステム・ダイアグラム図。
【図９】比較例の蒸気噴射システムを用いて蒸気噴射実験を行った時の、液体推薬の挙動を表わす写真（上から、ノズル径０．４ｍｍ，０．６ｍｍ，０．８ｍｍ）。
【図１０】図８の蒸気噴射システムを用いて蒸気噴射実験を行った時の、液体推薬の挙動を表わす写真（上から、ノズル径０．６ｍｍ，０．８ｍｍ，１．０ｍｍ）。
【発明を実施するための形態】
【００２４】
これより図面を用いて、本発明に係る蒸気噴射システムの実施形態を説明する。ただし、本発明に係る蒸気噴射システムは、各図面、及び関連する説明により示される特定の具体的構成へと限定されるわけではなく、本発明の範囲内で適宜変更可能である。例えば、互いに非可溶性である液体を３種類以上用いて蒸気噴射システムを構成してもよいし（図１の構成においては、液体燃料貯蔵容器２Ａ，２Ｂ，２Ｃ…と、液体燃料貯蔵容器を液体の種類の数だけ設け、図１の構成と同様に配管で合流させればよい。）、１種類の液体と不活性ガスとを用いて蒸気噴射システムを用いる場合に、不活性ガスを２種類以上用いてもよい。さらに、互いに非可溶性である液体を２種類以上用いる場合においても、液体燃料貯蔵容器に更に１種類以上の不活性ガスを注入して、本発明の蒸気噴射システムを構成することが可能である。
【実施例１】
【００２５】
蒸気噴射システムの構成
図１は、本発明の第１実施形態に係る、小型宇宙機用推進システムに利用可能な蒸気噴射システム１（推進器）のシステム・ダイアグラム例を示す。蒸気噴射システム１は、互いに非可溶性である液化ガスＡ，Ｂをそれぞれ収容する、アルミニウム、ＳＵＳ（ステンレス鋼）等からなる液体燃料貯蔵容器２Ａ，２Ｂと、液体燃料貯蔵容器２Ａ，２Ｂに対して液化ガスＡ，Ｂの注液・排液を行うための注排弁５Ａ，５Ｂと、不純物や液体状の燃料が通過することを防止するためのフィルタ６Ａ，６Ｂと、フィルタ６Ａ，６Ｂを通過した液化ガスＡ，Ｂの蒸気の、推薬弁７Ｃ側への移動を制御するためのラッチ式電磁弁７Ａ，７Ｂと、液化ガスＡ，Ｂの蒸気の、噴射口８からの噴射を制御する電磁弁（推薬弁）７Ｃと、液化ガスＡ，Ｂの蒸気を噴射する噴射口８と、を備えている。液体燃料貯蔵容器２Ａ，２Ｂの内壁には、例えば空隙率９５％程度の銅製、ＳＵＳ製等の発泡金属３Ａ，３Ｂが、それぞれ接着剤を用いて取り付けられており、また液体燃料貯蔵容器２Ａ，２Ｂの外壁には、それぞれヒータ４Ａ，４Ｂが全周にわたって取り付けられている。図１中、各構成要素を結ぶ線分は配管を表わす。その他、蒸気噴射システム１には、配管内の圧力を検出する圧力センサ９や、推薬弁７Ｃを閉じた状態でヘリウムガス等を注入してリークがないか確認する地上試験等で用いるための注排弁５Ｃが設けられている。
【００２６】
蒸気噴射システムの動作
以下、蒸気噴射システム１の動作を説明する。ここで、各電磁弁（噴射制御部）の開閉やヒータ、各種センサ等の動作制御は、任意の制御回路（不図示）を介して遠隔操作等により行われることとし、各注排弁からの注液（注気）・排液（排気）は、典型的には操作者により行われることとするが、これらの制御・動作を行う具体的手段は実施態様に応じて適宜変更可能である（以降の実施例においても同様）。
【００２７】
蒸気噴射システム１の使用時においては、まず液体燃料貯蔵容器２Ａ，２Ｂに対して、それぞれ異なる種類の液化ガスＡ，Ｂを注排弁５Ａ，５Ｂから注入し、発泡金属３Ａ，３Ｂ内の空隙部分に、表面張力によって液体状の液化ガスＡ，Ｂを保持する。液化ガスＡ，Ｂが液体燃料貯蔵容器２Ａ，２Ｂ内で気化することで発生したそれぞれの蒸気が、配管を通って液体燃料貯蔵容器２Ａ，２Ｂから放出され、フィルタ６Ａ，６Ｂを通過した後、ラッチ式電磁弁７Ａ，７Ｂを開くことにより、これら蒸気が配管中で合流する。このとき、液体燃料貯蔵容器２Ａ，２Ｂ内で蒸気を収容している空間内の圧力は、液化ガスＡ，Ｂの飽和蒸気圧よりも高くなる。このガス圧は圧力センサ９によってモニタする。ラッチ式電磁弁７Ａ，７Ｂを開いた状態で推進器の推薬弁７Ｃを開くと、合流した蒸気が噴射口８から外部へ噴射されて推力が発生する。噴射開始時点での上記圧力が液化ガスＡ，Ｂの飽和蒸気圧よりも高いため、キャビテーションを発生させることなく長時間噴射を継続することが可能となる。
【００２８】
以上、２種類の液化ガス（又は広義の液体であってもよい。）を用いて動作する、図１の蒸気噴射システム１について述べたが、１種類の液化ガス（又は広義の液体）と少なくとも１種類の不活性ガスを用いて動作する蒸気噴射システムとして、図１の蒸気噴射システム１を構成することも可能である。この場合、液体燃料貯蔵容器２Ａ，２Ｂのうち一方には、液化ガスではなく少なくとも１種類の不活性ガス（高圧のＧＮ２やＧＨｅ等）を充填する。不活性ガスを充填する貯蔵容器（不活性ガス貯蔵容器）には発泡金属を取り付ける必要はない。２種類の液化ガスを用いる場合と同様に、ラッチ式電磁弁７Ａ，７Ｂを開くことにより、液化ガスの蒸気と不活性ガスとが配管内で合流し、蒸気を収容している空間内の圧力は液化ガスの飽和蒸気圧よりも高くなる。ラッチ式電磁弁７Ａ，７Ｂを開いた状態で推進器の推薬弁７Ｃを開くと、合流した蒸気と不活性ガスが噴射口８から外部へ噴射されて推力が発生する。噴射開始時点での上記圧力が液化ガスの飽和蒸気圧よりも高いため、キャビテーションを発生させることなく長時間噴射を継続することが可能となる。噴射動作と噴射動作との間のインターバル中、ヒータ４Ａ，４Ｂによって液化ガスＡ，Ｂを加熱することにより、これら液化ガスの温度を回復させる。
【実施例２】
【００２９】
図１の蒸気噴射システム１においては、液化ガスＡ，Ｂを収容する液体燃料貯蔵容器２Ａ、２Ｂ（又は、液体燃料貯蔵容器と不活性ガス貯蔵容器）を別個の容器としていたが、これらは隔壁を有する単一のタンク（流体貯蔵容器）で代替できる。単一の流体貯蔵容器を用いて構成した、本発明の第２実施形態に係る蒸気噴射システム１（推進器）のシステム・ダイアグラム例を図２に示す。
【００３０】
蒸気噴射システムの構成
蒸気噴射システム１は、互いに非可溶性である液化ガスＡ，Ｂか、又は液化ガスＡと少なくとも１種類の不活性ガスを、隔壁１０（アルミニウム、ＳＵＳ等からなる）によって分離された空間にそれぞれ収容する流体貯蔵容器２と、流体貯蔵容器２に対して液化ガスや不活性ガスの注液（注気）・排液（排気）を行うための注排弁５Ａ，５Ｂと、不純物や液体状の燃料が通過することを防止するためのフィルタ６と、フィルタを通過した液化ガスの蒸気、又は不活性ガスの、推薬弁７Ｃ側への移動を制御するためのラッチ式電磁弁７ＡＢと、液化ガスの蒸気、及び不活性ガスの噴射口８からの噴射を制御する電磁弁（推薬弁）７Ｃと、液化ガスの蒸気、及び不活性ガスを噴射する噴射口８と、を備えている。流体貯蔵容器２中、隔壁１０によって仕切られた空間それぞれの内壁には発泡金属３Ａ，３Ｂが取り付けられており（不活性ガスを収容する空間の内壁には不要。）、また外壁には、ヒータ４が全周にわたって取り付けられている。図２中、各構成要素を結ぶ線分は配管を表わす。その他、図１の構成と同様に、蒸気噴射システム１には、配管内の圧力を検出する圧力センサ９や、地上試験等で用いるための注排弁５Ｃが設けられている。
【００３１】
蒸気噴射システムの動作
蒸気噴射システム１の使用時においては、まず流体貯蔵容器２の隔壁１０で仕切られた空間に、それぞれ異なる種類の液化ガスＡ，Ｂか、又は液化ガスと１種類以上の不活性ガスを注排弁５Ａ，５Ｂから注入し、液化ガスは発泡金属内の空隙部分に、不活性ガスは対応する空間内（液化ガスを収容する側の空間に流入して構わない。）に、それぞれ保持する。液化ガスＡ，Ｂの蒸気、又は液化ガスの蒸気と不活性ガスは流体貯蔵容器２内で合流し、配管を通って流体貯蔵容器２から放出される。流体貯蔵容器内２の蒸気を収容する空間の圧力は、液化ガスの飽和蒸気圧よりも高くなる。このガス圧は圧力センサ９によってモニタする。ラッチ式電磁弁７ＡＢを開き、更に推進器の推薬弁７Ｃを開くと、流体貯蔵容器２から放出された蒸気、又は蒸気と不活性ガスが噴射口８から外部へ噴射されて推力が発生する。噴射開始時点での上記圧力が液化ガスの飽和蒸気圧よりも高いため、キャビテーションを発生させることなく長時間噴射を継続することが可能となる。噴射動作と噴射動作との間のインターバル中、ヒータ４によって液化ガスを加熱することにより、これら液化ガスの温度を回復させる。
【実施例３】
【００３２】
その他の実施形態としては、特許文献３に記載されているように、網状体、発泡金属、平板を液体貯蔵容器内に設置してもよい。それらを用いて構成した、本発明の第３実施形態に係る蒸気噴射システム１（推進器）のシステム・ダイアグラム例を図３に示す。
【００３３】
蒸気噴射システムの構成
蒸気噴射システム１は、互いに非可溶性である液化ガスＡ，Ｂをそれぞれ収容する液体燃料貯蔵容器２Ａ，２Ｂと、液体燃料貯蔵容器２Ａ，２Ｂに対して液化ガスＡ，Ｂの注液・排液を行うための注排弁５Ａ，５Ｂと、不純物や液体状の燃料が通過することを防止するためのフィルタ６Ａ，６Ｂと、フィルタを通過した液化ガスＡ，Ｂの蒸気の、推薬弁７Ｃ側への移動を制御するためのラッチ式電磁弁７Ａ，７Ｂと、液化ガスＡ，Ｂの蒸気の、噴射口８からの噴射を制御する電磁弁（推薬弁）７Ｃと、液化ガスＡ，Ｂの蒸気を噴射する噴射口８と、を備えている。
【００３４】
図１の構成とは異なり、液体燃料貯蔵容器２Ａ，２Ｂの内壁には、ＳＵＳ等からなる網状体１１Ａ，１１Ｂがそれぞれ接着剤を用いて取り付けられている。これら網状体１１Ａ，１１Ｂの網目に、液化ガスＡ，Ｂの表面張力による液膜が形成されることにより、液体燃料貯蔵容器２Ａ，２Ｂの内部空間が、蒸気を収容する空間（図３中、網状体１１Ａ，１１Ｂの上側）と液体を収容する空間（図３中、網状体１１Ａ，１１Ｂの下側）とに分離される（特許文献３の図１，段落［００３２］参照）。また液体燃料貯蔵容器２Ａ，２Ｂの内壁には、空隙内に液体の液化ガスＡ，Ｂをそれぞれ保持する発泡金属３Ａ，３Ｂが、網状体１１Ａ，１１Ｂに隣接して取り付けられている。なお、液体を収容する空間を発泡金属３Ａ，３Ｂで完全に占有してもよいが、本実施形態においては網状体１１Ａ，１１Ｂによって気液分離が図られているため、図３に示すとおり液体を収容する空間の一部のみに発泡金属３Ａ，３Ｂを配置し、残りの空間を液体の液化ガス１３Ａ，１３Ｂで占めるよう構成してもよい。
【００３５】
さらに、液体燃料貯蔵容器２Ａ，２Ｂの外壁には、それぞれヒータ４Ａ−１と４Ａ−２、及び４Ｂ−１と４Ｂ−２が取り付けられている。ヒータ４Ａ−１，４Ｂ−１の加熱により、液体燃料貯蔵容器２Ａ，２Ｂの内部空間の温度は、蒸気を収容する空間の温度が液体を収容する空間の温度よりも高くなるように制御される。これにより、蒸気を収容する空間と液体を収容する空間との逆転が防止される（特許文献３中、段落［００１４］参照）。またヒータ４Ａ−２，４Ｂ−２による、噴射のインターバル中の加熱により、既に述べたとおり各液化ガスの温度が回復する。なお、図示していないが、液体燃料貯蔵容器２Ａ，２Ｂから噴射口８に至る配管にも適宜ヒータを備えて、配管内の温度を液体燃料貯蔵容器２Ａ，２Ｂの温度よりも高く保ち、蒸気が液体に戻ることを防止することが好ましい（他の実施形態においても同様）。これにより、液体燃料貯蔵容器２Ａ，２Ｂの液体を収容する空間から蒸気を収容する空間、そして容器外部の配管に向かって上昇する温度勾配が実現されている。また、液体燃料貯蔵容器２Ａ，２Ｂの内壁には、ＳＵＳ等からなる複数の平板１２Ａ，１２Ｂが接着剤によって取り付けられており、蒸気噴射システム１の動作中、液体燃料貯蔵容器２Ａ，２Ｂをそれぞれ回転軸ＡＸ−Ａ，ＡＸ−Ｂの周りに（図示しない任意の駆動回路等を用いて）回転させることにより浮遊する液滴を平板１２Ａ，１２Ｂで捕獲することができる（特許文献３中、段落［００４３］参照）。
【００３６】
蒸気噴射システムの動作
蒸気噴射システム１の使用時においては、まず液体燃料貯蔵容器２Ａ，２Ｂに対して、それぞれ異なる種類の液化ガスＡ，Ｂを注排弁５Ａ，５Ｂから注入し、発泡金属３Ａ，３Ｂ内の空隙部分に液体状の液化ガスＡ，Ｂを保持するとともに、網状体１１Ａ，１１Ｂの網目に液膜を形成させる。液化ガスＡ，Ｂが液体燃料貯蔵容器２Ａ，２Ｂ内で気化することで発生したそれぞれの蒸気が配管を通って液体燃料貯蔵容器２Ａ，２Ｂから放出され、フィルタ６Ａ，６Ｂを通過した後、ラッチ式電磁弁７Ａ，７Ｂを開くことにより、これら蒸気が配管中で合流する。このとき、液体燃料貯蔵容器２Ａ，２Ｂ内で蒸気を収容している空間内の圧力は、液化ガスＡ，Ｂの飽和蒸気圧よりも高くなる。このガス圧は圧力センサ９によってモニタする。ラッチ式電磁弁７Ａ，７Ｂを開いた状態で推進器の推薬弁７Ｃを開くと、合流した蒸気が噴射口８から外部へ噴射されて推力が発生する。噴射開始時点での上記圧力が液化ガスＡ，Ｂの飽和蒸気圧よりも高いため、キャビテーションを発生させることなく長時間噴射を継続することが可能となる。
【００３７】
以上、２種類の液化ガスを用いて動作する、図３の蒸気噴射システム１について述べたが、この蒸気噴射システム１は、１種類の液化ガスと少なくとも１種類の不活性ガスを用いて動作する態様においても、液体貯蔵容器２Ａ，２Ｂのうち不活性ガスを収容する方の容器（気体貯蔵容器）に網状体、発泡金属、平板、ヒータを設けなくてよいこと以外は同様の構成によって同様に動作可能である。
【実施例４】
【００３８】
本発明の蒸気噴射システムは、推進器以外にも利用可能である。一例として、蒸気噴射スプレーとして構成される、本発明の第４実施形態に係る蒸気噴射システム１のシステム・ダイアグラム例を図４に示す。
【００３９】
蒸気噴射システムの構成
蒸気噴射システム１は、アルミニウム製の隔壁１０が設けられた、互いに非可溶性である液化ガスＡ，Ｂをそれぞれ収容する液体貯蔵容器２（アルミ缶等）と、不純物や液体状の液化ガスが通過することを防止するためのフィルタ６と、液化ガスＡ，Ｂの蒸気の、噴射口８からの噴射を制御するノズル制御部７と、液化ガスＡ，Ｂの蒸気を噴射する噴射口８と、を備えている。隔壁１０によって分離された空間に、それぞれ液体の液化ガスＡ，Ｂ（１３Ａ，１３Ｂ）が収容される。
【００４０】
蒸気噴射システムの動作
蒸気噴射システム１の使用時においては、まず液体貯蔵容器２の隔壁１０によって分離された空間に、それぞれ異なる種類の液化ガスＡ，Ｂが予め（スプレーの製造時に）注入されているものとする。このとき、液体貯蔵容器２内で蒸気を収容している空間内の圧力は、液化ガスＡ，Ｂの飽和蒸気圧よりも高くなる。液化ガスＡ，Ｂが液体貯蔵容器２内で気化することで発生したそれぞれの蒸気が配管を通って液体貯蔵容器２から放出され、フィルタ６を通過した後、ノズル（エアーノズル）制御部７の操作により、噴射口８から噴射される。噴射開始時点での上記圧力が液化ガスＡ，Ｂの飽和蒸気圧よりも高いため、キャビテーションを発生させることなく長時間噴射を継続することが可能となる。
【００４１】
以上、２種類の液化ガスを用いて動作する、図４の蒸気噴射システム１について述べたが、この蒸気噴射システム１は、１種類の液化ガスと少なくとも１種類の不活性ガスを用いて動作する態様においても動作可能である。具体的には、液体（流体）貯蔵容器２内に予め液化ガスと少なくとも１種類の不活性ガスを封入しておけば（隔壁１０は不要）、液体貯蔵容器２内で蒸気を収容している空間内の圧力は、液化ガスの飽和蒸気圧よりも高くなるため、キャビテーションを発生させることなく長時間噴射を継続することが可能である。
【実施例５】
【００４２】
本発明の第５実施形態として、図５に示す構成の蒸気噴射システム１を作製し、噴射実験を行った。
【００４３】
図５の蒸気噴射システム１においては、０．１Ｌの液体燃料貯蔵容器２Ａ（アクリル製）が、１．０Ｌの液体燃料貯蔵容器２Ｂ（アクリル製）の内部に、スペーサ１５（アルミニウム製）を介して接続されている。液体燃料貯蔵容器２Ａには２８％（質量パーセント濃度）アンモニア水１３Ａが、液体燃料貯蔵容器２Ｂには液化ブタン１３Ｂが充填されている（初めに、液体燃料貯蔵容器２Ａにアンモニア水１３Ａを充填し、液体燃料貯蔵容器２Ｂに収容した後、液化ブタン１３Ｂを液体燃料貯蔵容器２Ｂの底部に接続された注排弁５Ｂから充填する。それぞれの容器にはニッケル製の発泡金属３Ａ，３Ｂを入れた。注排弁５Ｃはリークの確認等、地上試験用である。）。アンモニア水と液化ブタンの混合蒸気圧のモニタは、液体燃料貯蔵容器２Ｂに接続された温度センサ１４と圧力センサ９で行う。外部へのガス噴射は、噴射口（ノズル）８の直前に接続された電磁弁７Ｃを開くことで行う。蒸気噴射システムの性能を，次のような観点から評価した：
（１）液体燃料貯蔵容器２Ｂに接続された温度センサ１４と圧力センサ９から計測した、アンモニア水と液化ブタンの混合蒸気の圧力
（２）高速度カメラ（撮影速度：１２０ｆｐｓ）の画像より確認されたキャビテーション発生時の圧力センサ９の計測値（液体燃料貯蔵容器２Ａ，２Ｂの素材にはアクリル樹脂製を用いているため、容器内に収容された液体燃料内部からのキャビテーション発生の有無を撮影できた。）
【００４４】
（比較例による実験）
初めに、図５の構成において液体燃料貯蔵容器２Ａにはアンモニア水を充填せず、液体燃料貯蔵容器２Ｂに液化ブタンを充填して蒸気噴射を実施した。蒸気噴射は、０．４ｍｍ，０．６ｍｍ，０．８ｍｍの３種類のノズルスロート径でそれぞれ実施し、各スロート径においてキャビテーション発生時の容器内圧力を計測した。蒸気噴射実験時の、液体燃料貯蔵容器２Ｂ内の圧力の変化を図６に示す。図６中、実線はノズルスロート径０．４ｍｍ（Ｎｏ．１−１）に、破線は０．６ｍｍ（Ｎｏ．１−２）に、一点鎖線は０．８ｍｍ（Ｎｏ．１−３）に、それぞれ対応する。また、各ノズルスロート径による実験時の、液体燃料貯蔵容器２Ｂ内の初期（噴射による減圧前の）温度、初期圧力、キャビテーション（気泡）発生時の液体燃料貯蔵容器２Ｂ内の圧力、初期温度におけるブタン蒸気圧、及び蒸気噴射開始からキャビテーション発生時までの噴射時間を、以下の表１に示す。
【表１】
2015214956.tif 000003
【００４５】
ここで、「ブタン蒸気圧」は初期温度から以下のアントワン式（１）を用いて計算した圧力Ｐである（Ｔは絶対温度）。
【数１】
2015214956.tif 000004
2015214956.tif 000005
（１）
【００４６】
実験の結果、ブタン単体、つまり従来の単一液化ガスの蒸気噴射システムでは、液体燃料貯蔵容器２Ｂの初期圧力は液化ブタンの飽和蒸気圧であり、ノズルスロート径、つまり減圧速度に依らず蒸気噴射直後にキャビテーションが発生していることが確認された。
【００４７】
（本発明のシステムによる実験）
次に液体燃料貯蔵容器２Ａにアンモニア水を、液体燃料貯蔵容器２Ｂに液化ブタンを収容した後、０．４ｍｍ，０．６ｍｍ，０．８ｍｍの３種のノズルスロート径について蒸気噴射を実施した。蒸気噴射実験時の、液体燃料貯蔵容器２Ｂ内の圧力の変化を図７に示す。図７中、実線はノズルスロート径０．４ｍｍ（Ｎｏ．２−１）に、破線は０．６ｍｍ（Ｎｏ．２−２）に、一点鎖線は０．８ｍｍ（Ｎｏ．２−３）に、それぞれ対応する。また、各ノズルスロート径による実験時の、液体燃料貯蔵容器２Ｂ内の初期温度、初期圧力、キャビテーション発生時の液体燃料貯蔵容器２Ｂ内の圧力、初期温度におけるブタン蒸気圧、及び蒸気噴射開始からキャビテーション発生時までの噴射時間は、上記表１に示されている。
【００４８】
実験の結果、上記噴射前の容器内圧力は、液化ブタンの飽和蒸気圧より約３０〜４０ｋＰａ程度高くなった。蒸気噴射後は，減圧速度によらず，温度センサ１４から計算したブタン単体の飽和蒸気圧を下回った後に、キャビテーションが液体燃料貯蔵容器２Ｂの底部から発生していることが確認できた。したがって、ブタン単体の蒸気噴射の場合と比較して、アンモニア水の蒸気圧分、キャビテーションの発生を遅らせることが可能なことが確認された。
【実施例６】
【００４９】
本発明の第６実施形態として、図８に示す構成の実験用蒸気噴射システム１を作製した。キャビテーションを抑制することで，長秒時噴射性能が向上することを確認するために、落下塔を利用した微小重力実験を行った。本実験では、１液式と、１液＋１気式の推進系について同じ環境下で噴射試験を行い、気液分離性能の比較を行った。本実験は北海道赤平市にある５０ｍの落下塔で行った。重力レベルは１０-3Ｇ、落下時間は約２．５ｓｅｃである。
【００５０】
（実験装置）
０．３Ｌポリカーボネイト製の流体貯蔵容器２に発泡金属３（ＥＲＧ社Ｄｕｏｃｅｌ  ４０ＰＰＩ６））を施工し、液体のＨＦＣ１３４ａを発泡金属３と同じ高さまで充填した。噴射時の流体貯蔵容器２内の液体推薬の挙動は４つの圧力センサ９Ａ〜９Ｄと１つの温度センサ１４、高速度カメラ１６（撮影速度：１２０ｆｐｓ）で記録した。圧力センサは、ＨＦＣ１３４ａの蒸気が収容されるアレッジ部（ＰＧ）、液体部（ＰＬ１，ＰＬ２）と噴射口８のノズルチャンバ部（ＰＣ）をそれぞれ計測している。温度センサはアレッジ（ガス）の温度を計測している。また、ノズルスロート径を変えることで流量を調整した。
【００５１】
（実験項目）
ノズルスロート径を変化させＨＦＣ１３４ａ単体で噴射する場合（１液式に相当）と、ＨＦＣ１３４ａにＡｒを加えた場合（１液＋１気式に相当）での液体推薬の挙動の違いを観察した。マイコン（不図示）によって電磁弁７Ｃを制御することにより、カプセル落下０．２秒後から１．８秒後の１．６秒間噴射した。
【００５２】
（実験結果）実験結果を、以下の表２に示す。
【表２】
2015214956.tif 000006
【００５３】
表２の「判定」は、高速度カメラ１６で撮影した画像から、噴射時に液体推薬が発泡金属に保持され続けている場合は「○」、保持されていない、すなわち気液界面の上昇が確認された場合は「×」としている。
【００５４】
ＨＦＣ１３４ａ単体の場合（Ｎｏ．１−１〜１−３）、φ（ノズル径）０．４ｍｍ，０．６ｍｍにおける噴射では液体推薬は発泡金属内に保持されたが、φ０．８ｍｍでは保持されなかった。図９にＨＦＣ１３４ａ単体での噴射試験時（落下開始２．０秒後）の液体推薬の写真を示す（上から、ノズル径０．４ｍｍ，０．６ｍｍ，０．８ｍｍ）。図９から、φ０．８ｍｍの試験ケースでは液体推薬が発泡金属から流出している様子が確認できる。また、圧力センサ９Ａ〜９Ｄで計測した圧力履歴によれば、液体推薬が発泡金属に保持されたケースの圧力履歴については、噴射中は単調に減少しているが、液体推薬が流出したＮｏ．１−３のケースでは、噴射後半は圧力が回復していた。これは蒸発による気化にキャビテーションによる気化が加わったため、圧力が上昇したと考えられる。
【００５５】
一方，ＨＦＣ１３４ａにＡｒを加えた場合はφ０．６ｍｍ，０．８ｍｍでは液体推薬は発泡金属によって保持されたが、φ１．０ｍｍでは液体推薬の流出が確認された。各試験ケースの落下開始２．０秒後の流体貯蔵容器２内の写真を図１０に示す（上から、ノズル径０．６ｍｍ，０．８ｍｍ，１．０ｍｍ）。圧力センサ９Ａ〜９Ｄで計測した圧力履歴によれば、Ｎｏ．２−２とＮｏ．２−３では、噴射後半においてアレッジ圧（ＰＧ）がＨＦＣ１３４ａの分圧（温度センサで計測した噴射前の温度値からアントワン式を用いて算出した。液中から気泡が生じはじめる圧力に相当する。）を下回っていることがわかった。高速度カメラ１６の画像（図１０）からも、ノズル径φ０．８ｍｍと１．０ｍｍの時には気泡が生じている様子が確認された。しかし、流量が小さいφ０．８ｍｍのケースでは気液界面が上昇するまでには至らなかった。一方φ１．０ｍｍにおいては，ＨＦＣ１３４ａ内でキャビテーションに伴う気泡によって気液界面が上昇したと考えられる。
【００５６】
以上の試験結果から，同じ流量（ノズルスロート径）に対しては、Ａｒガスを加圧した試験ケースの方が発泡金属からの液体推薬流出を抑えられることがわかった。したがって、キャビテーションを抑制することが、連続噴射性能を向上させるために有効であることが確かめられた。
【産業上の利用可能性】
【００５７】
本発明の蒸気噴射システムは、小型惑星推進システム用の推進器、スプレーを初めとして、安定的に蒸気噴射をするための任意の装置、方法、システム等に利用可能である。
【符号の説明】
【００５８】
１                                          蒸気噴射システム（推進器、スプレー）
２                                          液体（流体）貯蔵容器
２Ａ，２Ｂ                                  液体燃料（不活性ガス）貯蔵容器
３，３Ａ，３Ｂ                              発泡金属
４，４Ａ（−１，２），４Ｂ（−１，２）      ヒータ
５，５Ａ、５Ｂ，５Ｃ                        注排弁
６，６Ａ，６Ｂ                              フィルタ
７，７Ａ，７Ｂ，７ＡＢ，７Ｃ                電磁弁、ノズル制御部
８                                          噴射口
９，９Ａ，９Ｂ，９Ｃ，９Ｄ                  圧力センサ
１０                                        隔壁
１１Ａ，１１Ｂ                              網状体
１２Ａ，１２Ｂ                              平板
１３Ａ，１３Ｂ                              液体
１４                                        温度センサ
１５                                        スペーサ
１６                                        高速度カメラ
【図１】
2015214956.tif 000007
【図２】
2015214956.tif 000008
【図３】
2015214956.tif 000009
【図４】
2015214956.tif 000010
【図５】
2015214956.tif 000011
【図６】
2015214956.tif 000012
【図７】
2015214956.tif 000013
【図８】
2015214956.tif 000014
【図９】
2015214956.tif 000015
【図１０】
2015214956.tif 000016